(57)【要約】【課題】磁石を装着可能な付着体を被着体に接着させるための接着部材を提供する。【解決手段】接着部材１０１が、互いに対向する第１の表面１０３及び第２の表面１０４を有する基材１０２と、第１の表面１０３に接着された第１の両面テープ１０５と、第２の表面１０４に接着された第２の両面テープ１０６とを備え、基材１０２は、第１の表面１０３及び第２の表面１０４が延伸する方向に沿って切り裂かれることができる材料より構成され、第１の両面テープ１０５は、第１の支持体１０７と、第１の支持体１０７と第１の表面１０３とを接着した第１の粘着層１０８と、第１の粘着層１０８に対向する第２の粘着層１０９であって、第１の支持体１０７と被着体とを接着させるための第２の粘着層１０９とを備え、第２の粘着層１０９は、被着体に対して再剥離性を有する。【選択図】図１
2020169296.tif 000002
【特許請求の範囲】
【請求項１】
磁石を装着可能な付着体を被着体に接着させるための接着部材であって、互いに対向する第１の表面及び第２の表面を有する基材と、前記第１の表面に接着された第１の両面テープと、前記第２の表面に接着された第２の両面テープとを備え、
前記基材は、前記第１及び第２の表面が延伸する方向に沿って切り裂かれることができる材料より構成され、
前記第１の両面テープは、第１の支持体と、前記第１の支持体と前記第１の表面とを接着した第１の粘着層と、前記第１の粘着層に対向する第２の粘着層であって、前記第１の支持体と前記被着体とを接着させるための第２の粘着層とを備え、前記第２の粘着層は、前記被着体に対して再剥離性を有する、接着部材。
【請求項２】
前記第２の両面テープは、第２の支持体と、前記第２の支持体と前記第２の表面とを接着した第３の粘着層と、前記第３の粘着層に対向する第４の粘着層であって、前記第２の支持体と前記付着体とを接着させるための第４の粘着層とを備え、前記第４の粘着層は、前記付着体に対して再剥離性を有する、請求項１に記載の接着部材。
【請求項３】
前記第１及び第２の支持体は、セルロース、ポリエチレンテレフタレート、ポリイミドのうちの少なくとも１つを含む、請求項１又は２に記載の接着部材。
【請求項４】
前記第２及び第４の粘着層は、アクリル系粘着剤、シリコン系粘着剤、エマルジョン系粘着剤、ウレタン系粘着剤、ゴム系粘着剤のうちの少なくとも１つを含む、請求項１〜３の何れか一項に記載の接着部材。
【請求項５】
前記基材は、無架橋材料の発泡体から構成されている、請求項１〜４の何れか一項に記載の接着部材。
【請求項６】
前記無架橋材料は、ポリエチレンを含む、請求項５に記載の接着部材。
【請求項７】
前記基材は、０．３〜６ｍｍの厚さを有する、請求項５又は６に記載の接着部材。
【請求項８】
前記第２及び第４の粘着層に対してそれぞれ剥離可能であって、前記基材より突出しているライナーを更に備える、請求項１〜７の何れか一項に記載の接着部材。
【請求項９】
請求項１〜７の何れか一項に記載の接着部材と、前記接着部材の前記第４の粘着層に接着された前記付着体とを備え、前記基材を前記第１及び第２の表面が延伸する方向に沿って切り裂くことによって、前記付着体を前記被着体から分離させることができるようになっている、物品支持システム。
【請求項１０】
前記第２の粘着層を前記被着体から再剥離させることができるようになっている、請求項９に記載の物品支持システム。
【請求項１１】
前記第４の粘着層を前記付着体から再剥離させることができるようになっている、請求項９又は１０に記載の物品支持システム。
【請求項１２】
前記磁石を有する少なくとも１つの物品支持体を、前記磁石を介して前記付着体に装着させることができるようになっている、請求項９〜１１の何れか一項に記載の物品支持システム。
【発明の詳細な説明】
【技術分野】
【０００１】
本発明は、壁掛けフック等の物品支持体を磁石によって装着可能な付着体を被着体に接着させるための接着部材、並びに接着部材及び付着体によって物品支持体を被着体に装着させるための物品支持システムに関するものである。
【背景技術】
【０００２】
従来より、壁面、家具の側面、電気製品の側面、等の被着体に装着される壁掛けフック等の物品支持体が広く一般に使用されている。物品支持体は、針、接着剤、粘着剤、充填剤、両面テープ、磁石、等により壁面等に装着される。
【０００３】
引用文献１には、壁面と接触されるベースと、ベースに取付けられ、被掛け体が掛けられるフック本体と、ベースの裏面に下方に指向して固定され、壁面に差し込まれ、被掛け体、ベース、及びフック本体の荷重を受けて壁面に伝える細針とを備える壁掛けフックが開示されている。引用文献２には、不要になった際、基板を被着面から容易に剥離できる壁掛けフックが開示されている。この壁掛けフックは、表面及び裏面を備え、表面は吊下部材を有し、裏面は、表面に対して略平行である水平面、及びこの水平面の境界から端に向けて、水平面から表面の方向に傾斜する傾斜面を有する。また、この壁掛けフックは、液状接着剤、液状粘着剤、液状充填剤、等を塗布することによって、又は両面テープを貼り付けることによって設けられた貼合手段を使用して水平面に取り付けられる。引用文献３には、壁面から容易に離反できるような磁石式壁掛けフックが開示されている。この壁掛けフックは、磁性体を有して構成される壁面に吸着できる永久磁石取り付け部をフック基台部に内蔵し、壁面と離隔する側に物体を懸垂するフック部を有するフック基台部と、フック基台部に内蔵する永久磁石取り付け部が略懸垂方向に回転する構造とを備える。
【先行技術文献】
【特許文献】
【０００４】
【特許文献１】特開２００６−３４５９９号公報
【特許文献２】特開２０１４−２２１１１５号公報
【特許文献３】特開２０１７−２０９２２７号公報
【発明の概要】
【発明が解決しようとする課題】
【０００５】
特許文献１のよる壁掛けフックは、壁面に細針を差し込んで取り付けられるため、この壁掛けフックを壁面から取り外す際に、壁面に細針の痕跡を残すという問題点がある。特許文献２のよる壁掛けフックは、液状接着剤、液状粘着剤、液状充填剤、両面テープ、等により被着面に取り付けられるため、この壁掛けフックを被着面から剥離する際に、接着剤が被着面及び壁掛けフックの裏面に残存したり、両面テープが破断して被着面及び壁掛けフックの裏面に残存したりするという問題点がある。特許文献３のよる壁掛けフックは、壁面が鋼板等の磁性体で構成される場合にのみ吸着することができ、吸着できる場所の範囲が限定されるという問題点がある。
【０００６】
従って、本発明の目的は、上記問題点を解決して、物品支持体を磁石によって装着可能な付着体を被着体に接着させるための接着部材、並びに接着部材及び付着体によって物品支持体を被着体に装着させるための物品支持システムを提供することである。
【課題を解決するための手段】
【０００７】
本発明の１つの観点によれば、磁石を装着可能な付着体を被着体に接着させるための接着部材が、互いに対向する第１の表面及び第２の表面を有する基材と、第１の表面に接着された第１の両面テープと、第２の表面に接着された第２の両面テープとを備え、基材は、第１及び第２の表面が延伸する方向に沿って切り裂かれることができる材料より構成され、第１の両面テープは、第１の支持体と、第１の支持体と第１の表面とを接着した第１の粘着層と、第１の粘着層に対向する第２の粘着層であって、第１の支持体と被着体とを接着させるための第２の粘着層とを備え、第２の粘着層は、被着体に対して再剥離性を有する。
【０００８】
本発明の一具体例によれば、接着部材において、第２の両面テープは、第２の支持体と、第２の支持体と第２の表面とを接着した第３の粘着層と、第３の粘着層に対向する第４の粘着層であって、第２の支持体と付着体とを接着させるための第４の粘着層とを備え、第４の粘着層は、付着体に対して再剥離性を有する。
【０００９】
本発明の一具体例によれば、接着部材において、第１及び第２の支持体は、セルロース、ポリエチレンテレフタレート、ポリイミドのうちの少なくとも１つを含む。
【００１０】
本発明の一具体例によれば、接着部材において、第２及び第４の粘着層は、アクリル系粘着剤、シリコン系粘着剤、エマルジョン系粘着剤、ウレタン系粘着剤、ゴム系粘着剤のうちの少なくとも１つを含む。
【００１１】
本発明の一具体例によれば、接着部材において、基材は、無架橋材料の発泡体から構成されている。
【００１２】
本発明の一具体例によれば、接着部材において、無架橋材料は、ポリエチレンを含む。
【００１３】
本発明の一具体例によれば、接着部材において、基材は、０．３〜６ｍｍの厚さを有する。
【００１４】
本発明の一具体例によれば、接着部材は、第２及び第４の粘着層に対してそれぞれ剥離可能であって、基材より突出しているライナーを更に備える。
【００１５】
本発明の別の観点によれば、物品支持システムが、上記接着部材と、接着部材の第４の粘着層に接着された付着体とを備え、基材を第１及び第２の表面が延伸する方向に沿って切り裂くことによって、付着体を被着体から分離させることができるようになっている。
【００１６】
本発明の一具体例によれば、物品支持システムが、第２の粘着層を被着体から再剥離させることができるようになっている。
【００１７】
本発明の一具体例によれば、物品支持システムが、第４の粘着層を付着体から再剥離させることができるようになっている。
【００１８】
本発明の一具体例によれば、物品支持システムが、磁石を有する少なくとも１つの物品支持体を、磁石を介して付着体に装着させることができるようになっている。
【発明の効果】
【００１９】
本発明によれば、被着体の表面に物品支持体の装着の痕跡を残すことなく、被着体の表面から物品支持体を剥離することを可能にし、物品支持体が装着される場所の範囲を広げることを可能にする。
【００２０】
なお、本発明の他の目的、特徴及び利点は、添付図面に関する以下の本発明の実施例の記載から明らかになるであろう。
【図面の簡単な説明】
【００２１】
【図１】本発明の一実施形態としての接着部材の断面概略図である。
【図２】被着体に接着された、図１の接着部材を備える物品支持システムの断面概略図である。
【図３】図１の接着部材の基材を切り裂いている際の断面概略図である。
【図４】図１の接着部材の基材を切り裂いた後の断面概略図である。
【図５】図１の接着部材の両面テープを剥離している際の断面概略図である。
【発明を実施するための形態】
【００２２】
以下、本発明の実施例について図面を参照して説明するが、本発明はこれらの実施例に限定されるものではない。
【００２３】
図１を参照して、本発明の一実施形態としての接着部材１０１について説明する。図１に、磁石を装着可能な付着体を被着体に接着させるための接着部材１０１を示す。接着部材１０１は、互いに対向する第１の表面１０３及び第２の表面１０４を有する基材１０２と、第１の表面１０３に接着された第１の両面テープ１０５と、第２の表面１０４に接着された第２の両面テープ１０６とを備える。基材１０２は、第１の表面１０３及び第２の表面１０４が延伸する方向に沿って切り裂かれることができる材料より構成される。すなわち、基材１０２は、第１の表面１０３及び第２の表面１０４に略平行に切り裂かれることができる。基材１０２を切り裂くことによって、接着部材１０１を介して被着体に接着されていた付着体を被着体から分離することが容易になる。
【００２４】
接着部材１０１の基材１０２は、発泡体から構成されてもよく、柔軟性に富み、緩衝性に優れ、撥水性、防湿性にも優れているものが好ましい。柔軟性によって、付着体及び被着体の形状に応じて接着部材１０１を接着することができる。緩衝性によって、付着体及び被着体を傷つけずに接着部材１０１を接着することができる。撥水性、防湿性によって、台所、洗面所、浴場、トイレ、等の湿度が高い場所においても接着部材１０１を接着することができる。また、基材１０２は、架橋材料又は無架橋材料の発泡体から構成されてもよいが、基材１０２を第１の表面１０３及び第２の表面１０４に略平行に切り裂きやすくするためには、基材１０２は、無架橋材料の発泡体から構成されてもよい。例えば、基材１０２は、基材１０２を製造するための材料に無数の独立気泡を形成させながらシート状に連続押出成形したものであってもよい。このような発泡体の材料はポリエチレンであってもよく、この場合、基材１０２は、無架橋ポリエチレンの発泡体から構成される。また、気泡を形成するための気泡剤は、ブタンであってもよい。基材１０２の厚さは、接着部材１０１が接着する付着体及び被着体、並びに付着体に磁石によって装着される物品支持体によって選定されるが、好ましくは０．３〜６ｍｍである。
【００２５】
接着部材１０１の第１の両面テープ１０５は、第１の支持体１０７と、第１の支持体１０７と基材１０２の第１の表面１０３とを接着した第１の粘着層１０８と、第１の粘着層１０８が接着された第１の支持体１０７の面とは反対側の面に接着され、第１の支持体１０７と被着体とを接着させるための第２の粘着層１０９とを備える。第２の粘着層１０９は、被着体に対して再剥離性を有する。ここで再剥離性とは、被着体に貼り付けた粘着テープ又は粘着フィルム(シート）を剥離する場合に、支持体を破壊せず、更には粘着剤を被着体の表面に残すことなく剥離することができる性質のことである。第２の粘着層１０９の再剥離性によって、第１の両面テープ１０５を被着体から引っ張って剥離する場合に、第１の両面テープ１０５の第１の支持体１０７は途中で切断されることなく一体のままであることから、被着体に接着された第１の両面テープ１０５を剥離することが容易になる。また、第２の粘着層１０９の再剥離性によって、被着体に接着部材１０１の接着の痕跡を残すことがないように、被着体に接着された第１の両面テープ１０５を被着体から剥離することが可能になる。
【００２６】
接着部材１０１の第２の両面テープ１０６は、第２の支持体１１０と、第２の支持体１１０と基材１０２の第２の表面１０４とを接着した第３の粘着層１１１と、第３の粘着層１１１が接着された第２の支持体１１０の面とは反対側の面に接着され、第２の支持体１１０と付着体とを接着させるための第４の粘着層１１２とを備える。第４の粘着層１１２は、付着体に対して再剥離性を有する。第４の粘着層１１２の再剥離性によって、第２の両面テープ１０６を付着体から引っ張って剥離する場合に、第２の両面テープ１０６の第２の支持体１１０は途中で切断されることなく一体のままであることから、付着体に接着された第２の両面テープ１０６を剥離することが容易になる。また、第４の粘着層１１２の再剥離性によって、付着体に接着部材１０１の接着の痕跡を残すことがないように、付着体に接着された第２の両面テープ１０６を付着体から剥離することが可能になる。
【００２７】
第１の両面テープ１０５の第１の支持体１０７及び第２の両面テープ１０６の第２の支持体１１０は、第１の両面テープ１０５及び第２の両面テープ１０６が再剥離性を有するための材料から構成され、例えば、セルロース、ポリエチレンテレフタレート、ポリイミドのうちの少なくとも１つを含んでもよい。また、第１の支持体１０７及び第２の支持体１１０は、不織布、フィルム、発泡体から構成されてもよい。
【００２８】
第１の両面テープ１０５の第２の粘着層１０９及び第２の両面テープ１０６の第４の粘着層１１２は、第１の両面テープ１０５及び第２の両面テープ１０６が再剥離性を有するための材料から構成され、例えば、アクリル系粘着剤、シリコン系粘着剤、エマルジョン系粘着剤、ウレタン系粘着剤、ゴム系粘着剤のうちの少なくとも１つを含んでもよい。なお、第１の両面テープ１０５の第１の粘着層１０８は、基材１０２と第１の支持体１０７とを接着することができる材料から構成されればよく、第２の粘着層１０９と同じであってもよい。また、第２の両面テープ１０６の第３の粘着層１１１は、基材１０２と第２の支持体１１０とを接着することができる材料から構成されればよく、第４の粘着層１１２と同じであってもよい。
【００２９】
第１の両面テープ１０５及び第２の両面テープ１０６は、同じ種類であっても異なる種類のものであってもよく、第１の両面テープ１０５は、それが接着する被着体によって選定され、第２の両面テープ１０６は、それが接着する付着体によって選定される。第１の両面テープ１０５及び第２の両面テープ１０６の厚さは、接着部材１０１が接着する付着体及び被着体、並びに付着体に磁石によって装着される物品支持体によって選定されるが、好ましくは０．０３〜２ｍｍである。例えば、被着体、付着体が、金属、ガラス、木材、ゴム材、壁紙、メラニン板、ケイカル板、等である場合には、第１の両面テープ１０５及び第２の両面テープ１０６は、第１の支持体１０７及び第２の支持体１１０がセルロースの不織布から構成され、第１の粘着層１０８、第２の粘着層１０９、第３の粘着層１１１、及び第４の粘着層１１２がアクリル系粘着剤を含むように構成されてもよい。
【００３０】
接着部材１０１は、第２の粘着層１０９に対して剥離可能であって、基材１０２より突出する第１のライナー１１３、第４の粘着層１１２に対して剥離可能であって、基材１０２より突出する第２のライナー１１４を更に備えてもよい。ライナーとは、一般的に、紙、プラスチックフィルム、等の片面又は両面に剥離処理した材料であって、セパレータ、離型紙、剥離紙とも呼ばれる。第１のライナー１１３及び第２のライナー１１４は、図１に示すように、基材１０２、第１の両面テープ１０５、及び第２の両面テープ１０６より突出しているために容易に把持されることができて、第１のライナー１１３及び第２のライナー１１４を第２の粘着層１０９及び第４の粘着層１１２からそれぞれ剥離することが容易になる。第１のライナー１１３及び第２のライナー１１４は、接着部材１０１が付着体及び被着体に接着されるまで第２の粘着層１０９及び第４の粘着層１１２をそれぞれ保護し、接着部材１０１が付着体及び被着体に接着される際に第２の粘着層１０９及び第４の粘着層１１２からそれぞれ剥離される。第１のライナー１１３及び第２のライナー１１４の厚さは、好ましくは０．０５〜０．１４ｍｍである。
【００３１】
図２〜図５を参照して、本発明の一実施形態としての物品支持システム２０１について説明する。図２に、図１の接着部材１０１及び付着体２０４によって物品支持体２０５を被着体２０２に装着させるための物品支持システム２０１を示す。被着体２０２としてはは、例えば、リビング、寝室、等の壁面、家具、電気製品、等の側面であってもよく、また、台所、洗面所、浴場、トイレ、等の湿度が高い場所の壁面であってもよい。付着体２０４としては、磁石２０６を磁力により付着体２０４に接着できるものであればよく、例えば、鉄を含む平板がある。なお図２〜図５においては、被着体２０２の壁面２０３は、平面状であるが、それに限定されるものではなく、曲面状、多角形状、等であってもよい。また付着体２０４は、被着体２０２の壁面２０３の形状に合うような形状であってもよい。物品支持システム２０１は、図１の接着部材１０１と、接着部材１０１の第２の両面テープ１０６の第４の粘着層１１２に接着された付着体２０４とを備える。接着部材１０１の第１の両面テープ１０５の第２の粘着層１０９を被着体２０２の壁面２０３に接着することによって、物品支持システム２０１は、被着体２０２の壁面２０３に接着される。図３に示すように、物品支持システム２０１は、接着部材１０１の基材１０２を第１の表面１０３及び第２の表面１０４が延伸する方向に沿って切り裂くことによって、付着体２０４を被着体２０２から分離させることができるようになっている。接着部材１０１の基材１０２は、その中に切裂体２０７を通すことによって切り裂かれる。切裂体２０７は、接着部材１０１の基材１０２の厚さより薄いものであって、例えば、厚紙、針金、引っ張られた糸、等があるが、これに限定されるものではない。図４に示すように、接着部材１０１の基材１０２は、切裂体２０７によって切裂面２０８に沿って切り裂かれ、被着体２０２側と付着体２０４側とに分離される。
【００３２】
図５に示すように、物品支持システム２０１は、第１の両面テープ１０５の第２の粘着層１０９を被着体２０２から再剥離させることができるようになっている。切り裂かれた被着体２０２側の基材１０２及びそれに接着された第１の両面テープ１０５を引っ張ることによって、これらは被着体２０２から剥離される。この際、第１の両面テープ１０５は再剥離性を有するために、切り裂かれた被着体２０２側の基材１０２及びそれに接着された第１の両面テープ１０５は、途中で切断されることなく一体のままで剥離され、被着体２０２に第１の両面テープ１０５の接着の痕跡を残すことがない。
【００３３】
また図５に示すように、物品支持システム２０１は、第２の両面テープ１０６の第４の粘着層１１２を付着体２０４から再剥離させることができるようになっている。切り裂かれた付着体２０４側の基材１０２及びそれに接着された第２の両面テープ１０６を引っ張ることによって、これらは付着体２０４から剥離される。この際、第２の両面テープ１０６は再剥離性を有するために、切り裂かれた付着体２０４側の基材１０２及びそれに接着された第２の両面テープ１０６は、途中で切断されることなく一体のままで剥離され、付着体２０４に第２の両面テープ１０６の接着の痕跡を残すことがない。そして、痕跡が残っていない付着体２０４には、別の接着部材１０１を更に接着させることができ、物品支持システム２０１をリサイクルすることが可能になる。
【００３４】
図２に示すように、物品支持システム２０１は、磁石２０６を有する少なくとも１つの物品支持体２０５を、磁石２０６を介して付着体２０４に装着させることができるようになっている。磁石２０６を有する物品支持体２０５は、磁石２０６の磁力によって付着体２０４に装着され、その結果、被着体２０２の壁面２０３に装着されることができる。物品支持体２０５は、例えば、フライパン、フライ返し、等を吊下するフック、タオルハンガー、等であるが、これに限定されるものではなく、磁石２０６の磁力によって付着体２０４に装着されることができるものであればよい。
【００３５】
上記記載は特定の実施例についてなされたが、本発明はそれに限らず、本発明の原理と添付の特許請求の範囲の範囲内で種々の変更及び修正をすることができることは当業者に明らかである。
【符号の説明】
【００３６】
１０１    接着部材
１０２    基材
１０３    第１の表面
１０４    第２の表面
１０５    第１の両面テープ
１０６    第２の両面テープ
１０７    第１の支持体
１０８    第１の粘着層
１０９    第２の粘着層
１１０    第２の支持体
１１１    第３の粘着層
１１２    第４の粘着層
１１３    第１のライナー
１１４    第２のライナー
２０１    物品支持システム
２０２    被着体
２０３    壁面
２０４    付着体
２０５    物品支持体
２０６    磁石
２０７    切裂体
２０８    切裂面
【図１】
2020169296.tif 000003
【図２】
2020169296.tif 000004
【図３】
2020169296.tif 000005
【図４】
2020169296.tif 000006
【図５】
2020169296.tif 000007